【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
像担持体に画像を形成する画像形成部と、
前記像担持体に形成された画像が転写される中間転写体と、
転写材に前記中間転写体上に形成された画像を転写する転写部と、
前記転写部により画像が転写される前に、搬送される転写材を検知する検知部と、
１面目に画像が形成された転写材を反転させ、再度、前記転写部に搬送する搬送部と、
転写材の搬送方向のサイズに基づいて、前記画像形成部によって画像形成を開始するタイミングを制御する制御部と、
を備え、
前記制御部は、転写材の２面目に画像形成をする際の前記画像形成部によって画像形成を開始するタイミングを、搬送された転写材の搬送方向のサイズに基づいて切り換えることを特徴とする画像形成装置。
【請求項２】
前記制御部は、搬送された転写材の搬送方向のサイズが予め指定された転写材の搬送方向のサイズと同じサイズである場合は、前記予め指定された転写材の搬送方向のサイズに基づき、転写材の２面目の画像形成を開始する前記タイミングを決定し、
予め指定された転写材の搬送方向のサイズよりも搬送された転写材の搬送方向のサイズが大きい場合に、前記検知部によって転写材の後端を検知したタイミングに基づき、転写材の２面目の画像形成を開始する前記タイミングを決定することを特徴とする請求項１に記載の画像形成装置。
【請求項３】
前記検知部とは、前記中間転写体に形成された画像と転写材を同期させるために使用されるセンサであって、
転写材の後端が前記センサを通過してから反転されて、該転写材が転写部に搬送されるまでの時間が、前記画像形成部によって転写材の２面目の画像形成が開始されてから前記中間転写体に形成された画像が前記転写部に到達するまでの時間よりも短いことを特徴とする請求項１に記載の画像形成装置。
【請求項４】
前記検知部とは、給紙された転写材を検知する給紙センサであって、
転写材の後端が前記給紙センサを通過してから反転されて、該転写材が転写部に搬送されるまでの時間が、前記画像形成部によって転写材の２面目の画像形成が開始されてから前記中間転写体に形成された画像が前記転写部に到達するまでの時間よりも長いことを特徴とする請求項１に記載の画像形成装置。
【請求項５】
前記制御部は、更に、転写材の搬送方向に垂直な方向のサイズが所定のサイズよりも短いと判断した場合に、前記画像形成部によって画像形成を開始するタイミングを前記予め指定された転写材の搬送方向のサイズに基づくタイミングよりも遅いタイミングになるように切り換え、
前記制御部は、前記検知部によって転写材の後端を検知したタイミングに基づき決定した、転写材の２面目の画像形成を開始する前記タイミングと、前記遅らせたタイミングとを比較し、いずれか遅い方のタイミングで前記２面目の画像形成を開始することを特徴とする請求項２に記載の画像形成装置。
【請求項６】
前記像担持体を複数有し、夫々の像担持体に異なる色のトナー像を形成して、形成された異なる色のトナー像が前記中間転写体に多重転写されることを特徴とする請求項１に記載の画像形成装置。
【請求項７】
転写材の両面に画像を形成する両面画像形成装置において、
画像形成部により像担持体に形成された画像が転写される中間転写体と、
前記中間転写体に形成された画像を転写材に転写する転写部と、
前記転写部により画像が転写される前に、搬送される転写材を検知する検知部と、
１面目に画像が形成された転写材を反転させ、再度、前記転写部に搬送する両面搬送部と、
を備え、
転写材の２面目に画像形成をする際の前記画像形成部による画像形成のタイミングを、搬送された転写材の搬送方向のサイズに基づいて切り換えることを特徴とする両面画像形成装置。
【請求項８】
搬送された転写材の搬送方向のサイズが予め指定された転写材の搬送方向のサイズと同じサイズである場合は、前記予め指定された転写材の搬送方向のサイズに基づき、転写材の２面目の画像形成を開始する前記タイミングを決定し、
予め指定された転写材の搬送方向のサイズよりも搬送された転写材の搬送方向のサイズが大きい場合に、前記検知部によって転写材の後端を検知したタイミングに基づき、転写材の２面目の画像形成を開始する前記タイミングを決定することを特徴とする請求項７に記載の両面画像形成装置。
【請求項９】
前記検知部とは、前記中間転写体に形成された画像を転写材に転写するために使用されるセンサであって、
転写材の後端が前記センサを通過してから反転されて、該転写材が転写部に搬送されるまでの時間が、前記画像形成部によって転写材の２面目の画像形成が開始されてから前記中間転写体に形成された画像が前記転写部に到達するまでの時間よりも短いことを特徴とする請求項７に記載の両面画像形成装置。
【請求項１０】
前記検知部とは、給紙された転写材を検知する給紙センサであって、
転写材の後端が前記給紙センサを通過してから反転されて、該転写材が転写部に搬送されるまでの時間が、前記画像形成部によって転写材の２面目の画像形成が開始されてから前記中間転写体に形成された画像が前記転写部に到達するまでの時間よりも長いことを特徴とする請求項７に記載の両面画像形成装置。
【請求項１１】
更に、転写材の搬送方向に垂直な方向のサイズが所定のサイズよりも短いと判断した場合に、前記画像形成部によって画像形成を開始するタイミングを前記予め指定された転写材の搬送方向のサイズに基づくタイミングよりも遅いタイミングになるように切り換え、
前記検知部によって転写材の後端を検知したタイミングに基づき決定した、転写材の２面目の画像形成を開始する前記タイミングと、前記遅らせたタイミングとを比較し、いずれか遅い方のタイミングで前記２面目の画像形成を開始することを特徴とする請求項８に記載の両面画像形成装置。
【手続補正２】
【補正対象書類名】明細書
【補正対象項目名】００２３
【補正方法】変更
【補正の内容】
【００２３】
（１）像担持体に画像を形成する画像形成部と、前記像担持体に形成された画像が転写される中間転写体と、転写材に前記中間転写体上に形成された画像を転写する転写部と、前記転写部により画像が転写される前に、搬送される転写材を検知する検知部と、１面目に画像が形成された転写材を反転させ、再度、前記転写部に搬送する搬送部と、転写材の搬送方向のサイズに基づいて、前記画像形成部によって画像形成を開始するタイミングを制御する制御部と、を備え、前記制御部は、転写材の２面目に画像形成をする際の前記画像形成部によって画像形成を開始するタイミングを、搬送された転写材の搬送方向のサイズに基づいて切り換えることを特徴とする画像形成装置。
【手続補正３】
【補正対象書類名】明細書
【補正対象項目名】００２４
【補正方法】変更
【補正の内容】
【００２４】
（２）転写材の両面に画像を形成する両面画像形成装置において、画像形成部により像担持体に形成された画像が転写される中間転写体と、前記中間転写体に形成された画像を転写材に転写する転写部と、前記転写部により画像が転写される前に、搬送される転写材を検知する検知部と、１面目に画像が形成された転写材を反転させ、再度、前記転写部に搬送する両面搬送部と、を備え、転写材の２面目に画像形成をする際の前記画像形成部による画像形成のタイミングを、搬送された転写材の搬送方向のサイズに基づいて切り換えることを特徴とする両面画像形成装置。
【手続補正４】
【補正対象書類名】明細書
【補正対象項目名】００４５
【補正方法】変更
【補正の内容】
【００４５】
本実施例において、１面目の画像形成時に用紙後端が給紙センサ２１を抜けて（８１９）から、レジセンサ２２を抜けるまでの時間は一定である。このため、給紙センサ２１を抜けて（８１９）から、反転してレジセンサ２２に到達する（８２３）までの時間Ｔ２’は用紙サイズによらず一定であり、Ｔ２’＞Ｔ３となる。したがって、本実施例では、２面目の／ＴＯＰ信号出力タイミング（８２１）を、用紙が給紙センサ２１を抜けたタイミング（８１９）から、Ｔ２’とＴ３の差であるＴ１’の時間だけ経過したタイミングとする。これにより、用紙サイズに応じた最速のスループットで両面プリントを行う。なお、Ｔ２’とＴ３は共に用紙サイズによらず一定であるため、Ｔ１’も一定となる。